(57)【要約】【課題】ポケット内で収納物が倒れにくい冷蔵庫を提供する。【解決手段】貯蔵室を開閉する扉が設けられ、前記扉の庫内側の面に少なくとも２つのポケットが上下方向に並べて設けられた冷蔵庫において、上側のポケットの底板から下側のポケットへ向かって延びる仕切りが設けられたことを特徴とする。【選択図】図３
2020169750.tif 000002
【特許請求の範囲】
【請求項１】
貯蔵室を開閉する扉が設けられ、前記扉の庫内側の面に少なくとも２つのポケットが上下方向に並べて設けられた冷蔵庫において、
上側のポケットの底板から下側のポケットへ向かって延びる仕切りが設けられたことを特徴とする、冷蔵庫。
【請求項２】
上側のポケットの前記底板に孔が形成され、前記孔より大きい止め部が前記仕切りの上部に設けられ、前記止め部が前記孔の上で止まり、前記仕切りが前記孔から下に延び      ている、請求項１に記載の冷蔵庫。
【請求項３】
上側のポケットの前記底板の上面側に凹部が形成され、前記凹部内に前記孔が形成され、
前記止め部が前記凹部に収まり、前記止め部の上面が前記底板の上面と一致している、請求項２に記載の冷蔵庫。
【請求項４】
前記仕切りが上側ほど厚い、請求項２又は３に記載の冷蔵庫。
【請求項５】
前記仕切りを前記底板に固定する固定部が設けられた、請求項２〜４のいずれか１項に記載の冷蔵庫。
【請求項６】
前記仕切りの上下方向の長さが、上側のポケットと下側のポケットとの上下方向の最短距離より短い、請求項１〜５のいずれか１項に記載の冷蔵庫。
【請求項７】
前記孔の庫内側の端部が、上側のポケットの庫外側端部と庫内側端部との中間位置より庫内側にある、請求項２〜４のいずれか１項に記載の冷蔵庫。
【発明の詳細な説明】
【技術分野】
【０００１】
本発明の実施形態は冷蔵庫に関する。
【背景技術】
【０００２】
例えば特許文献１に記載のように、冷蔵庫の扉の庫内側の面には、瓶類等の収納物が収納されるポケットが設けられている。
【先行技術文献】
【特許文献】
【０００３】
【特許文献１】特開２００２−２４３３５７号公報
【発明の概要】
【発明が解決しようとする課題】
【０００４】
このようなポケットにおいて、収納物が少なくポケット内に隙間が多い場合等は、扉の開閉時の振動等が原因で収納物が倒れてしまうことがあった。また、ポケット内に、ポケットの底板から立ち上がる仕切りを設けることも考えられるが、その場合は仕切りが邪魔になってポケット内に収納物を自在に配置することができず、ポケット内に無駄な空間が生じてしまう可能性があった。
【０００５】
そこで本発明は、ポケット内で収納物が倒れにくく、ポケット内に無駄な空間が生じにくい冷蔵庫を提供することを課題とする。
【課題を解決するための手段】
【０００６】
実施形態の冷蔵庫は、貯蔵室を開閉する扉が設けられ、前記扉の庫内側の面に少なくとも２つのポケットが上下方向に並べて設けられた冷蔵庫において、上側のポケットの底板から下側のポケットへ向かって延びる仕切りが設けられたことを特徴とする。
【図面の簡単な説明】
【０００７】
【図１】実施形態の冷蔵庫の断面図。
【図２】実施形態の冷蔵庫の正面図。
【図３】冷蔵庫扉を庫内側から見た斜視図。
【図４】仕切りが設けられていないときの上側小物ポケットを上から見た平面図。
【図５】仕切りを斜め下から見た斜視図。
【図６】仕切りが設けられた上側小物ポケットの左右方向の断面図。
【図７】仕切りが設けられた上側小物ポケットの仕切り近傍での左右方向の断面図。
【図８】上側小物ポケット及び下側小物ポケットを庫内側から見た図。
【図９】変更例１の小物ポケットを上から見た平面図。仕切りが設けられていないときの図。
【図１０】変更例２の上側小物ポケットの左右方向の断面図。
【図１１】変更例３の上側小物ポケットの仕切り近傍での左右方向の断面図。
【図１２】変更例４の上側小物ポケットの仕切り近傍での左右方向の断面図。
【図１３】変更例５の上側小物ポケットの仕切り近傍での左右方向の断面図。
【図１４】変更例６の上側小物ポケットを庫内側から見た図。仕切りが設けられていないときの図。
【図１５】変更例６の上側小物ポケットの仕切り近傍での左右方向の断面図。仕切りが設けられているときの図。
【図１６】変更例７の小物ポケットの凹部を上から見た図。仕切りが設けられていないときの図。
【図１７】図１６のＡ−Ａでの断面図。仕切りが設けられているときの図。
【発明を実施するための形態】
【０００８】
実施形態の冷蔵庫について説明する。なお、以下の実施形態は例示であり、発明の範囲はこれに限定されない。以下の実施形態は、その他の様々な形態で実施されることが可能であり、発明の要旨を逸脱しない範囲で、種々の省略、置換、変更を行うことができる。以下の実施形態やその変形は、特許請求の範囲に記載された発明とその均等の範囲に含まれるものである。
【０００９】
以下の説明において、冷蔵庫の扉を開けてその扉のポケット側に立った使用者から見て手前の方を前、奥の方を後ろとする。冷蔵庫の扉が閉まった状態では、前側が庫内側になる。また、冷蔵庫の使用者のことを単に「使用者」と言うこととする。
【００１０】
１．冷蔵庫の全体構造
図１及び図２に本実施形態の冷蔵庫１を示す。冷蔵庫１は、貯蔵室を有する本体と、貯蔵室の開口部を開閉する扉とを備えている。また、冷蔵庫１は、冷気を発生させる冷却サイクル装置と、マイクロコンピュータ等の制御部とを備えている。制御部は、冷却サイクル装置を制御するとともに、冷却サイクル装置で発生した冷気を貯蔵室へ送り、貯蔵室内を低温に保持する。
【００１１】
冷蔵庫１の本体は、冷蔵庫１の外郭を形成する外箱と、貯蔵室が形成された内箱とが組み合わされ、外箱と内箱との間に断熱材が詰められて構成されている。外箱と内箱との間には真空断熱パネルが設けられていても良い。
【００１２】
冷蔵庫１の本体には複数の貯蔵室が設けられ、各貯蔵室の開口部が扉により開閉可能となっている。貯蔵室の数や種類は限定されないが、具体例としては、上から順に冷蔵室２及び野菜室３が設けられ、その下に製氷室と小冷凍室５が左右に並べて設けられ、一番下に冷凍室６が設けられている。
【００１３】
冷蔵室２の開口部は、左右２枚の冷蔵室扉１１、１２で閉塞されている。左側の冷蔵室扉１１の左端部は冷蔵庫１の本体の左端部にヒンジにより取り付けられている。右側の冷蔵室扉１２の右端部は冷蔵庫１の本体の右端部にヒンジにより取り付けられている。この構造のため、左右２枚の冷蔵室扉１１、１２は観音開き可能となっている。野菜室３、製氷室、小冷凍室５、冷凍室６は、それぞれ、引き出し式の野菜室扉１３、製氷室扉１４、小冷凍室扉１５、冷凍室扉１６で閉塞されている。いずれの扉も、庫内側の板状部材と庫外側の板状部材との間に断熱材が詰められて構成されている。
【００１４】
これらの扉の一部には操作部が設けられている。操作部が設けられる扉や操作部により操作可能な事項は限定されないが、本実施形態の場合は、一方の冷蔵室扉１２の上下方向の中央部に冷却サイクルの制御等のための操作部１８が設けられている。前記制御部はこれらの操作部１８での操作に基づき冷蔵庫１を制御する。
【００１５】
２．冷蔵室扉及びポケットの構造
冷蔵室扉の庫内側の部分の構造について説明する。ここでは一方の冷蔵室扉１１を例に取って説明するが、もう一方の冷蔵室扉１２も同様の構造を有していても良い。
【００１６】
図３に示すように、冷蔵室扉１１の庫内側の面には、さらに庫内側に向かって突出したスロート部２０が設けられている。スロート部２０は冷蔵室扉１１の縁（冷蔵室扉１１を前から見たときの扉の四辺）に沿って設けられ、全体で長方形の領域を形成している。また、冷蔵室扉１１の庫内側の面において、スロート部２０が形成する長方形の領域の外側にはガスケット（図示省略）が設けられている。冷蔵室扉１１が閉じられると、スロート部２０が冷蔵室２に侵入するとともに、ガスケットが冷蔵室２の開口部の周囲の場所に密着する。それにより冷蔵室２が密閉される。
【００１７】
冷蔵室扉１１の庫内側の面において、スロート部２０が形成する長方形の内側の領域に、複数のポケットが上下方向に並べて設けられている。本実施形態では、ポケットとして、冷蔵室扉１１の上部に設けられた上側小物ポケット２５、その下の下側小物ポケット３０、及び冷蔵室扉１１の下部に設けられた大物ポケット３５が存在している。これらのポケット２５、３０、３５には、一般的に、マヨネーズ等のプラスチック容器入り調味料や、瓶、缶、ペットボトル又は紙パックに入った飲料等の、比較的縦長の収納物が収納される。
【００１８】
図３、図４及び図６に示すように、上側小物ポケット２５は、水平な底板２６と、底板２６の庫内側の端部から立ち上がった庫内側の壁部２７と、底板２６の左右の端部から立ち上がった左右の壁部２８、２９とにより形成されている。同様に、下側小物ポケット３０も、底板と、庫内側の壁部３２と、左右の壁部とにより形成されている。同様に、大物ポケット３５も、底板と、庫内側の壁部３７と、左右の壁部とにより形成されている。大物ポケット３５の庫内側の壁部３７は、小物ポケット２５、３０の庫内側の壁部２７、３２よりも高い。これらのポケット２５、３０、３５は例えば合成樹脂で出来ている。
【００１９】
図示省略するが、これらのポケット２５、３０、３５にはポケット側嵌合部が設けられている。また、冷蔵室扉１１の庫内側には扉側嵌合部が設けられている。そして、ポケット側嵌合部と扉側嵌合部とが嵌合することにより、ポケット２５、３０、３５が冷蔵室扉１１の庫内側に固定されている。
【００２０】
このような冷蔵室扉１１において、上側小物ポケット２５の底板２６から下側小物ポケット３０へ向かって延びる複数の仕切り４０が設けられている。仕切り４０は、上側小物ポケット２５の底板２６に形成された孔４５（図４参照）に上から下に向かって挿入されることで、底板２６に設けられている。
【００２１】
仕切り４０が底板２６に設けられるための構造について図４〜図７に基づき具体的に説明する。図４に示すように、上側小物ポケット２５の底板２６の上面側には、複数の凹部４６が形成されている。複数の凹部４６は、上側小物ポケット２５の幅方向に並んでいる。そして、これらの凹部４６内に、それぞれ、底板２６を上下方向に貫通する上記の孔４５が形成されている。
【００２２】
これらの孔４５は全て同じ形状で、前後方向に長いスリット状である。好ましい形態としては、これらの孔４５の前側（すなわち庫内側）の端部４７が、上側小物ポケット２５の前後方向の中間位置（すなわち庫外側端部と庫内側端部との中間位置）よりも前側にある。また、好ましい形態としては、これらの孔４５の前後方向の中間位置が、上側小物ポケット２５の前後方向の中間位置よりも前側にある。
【００２３】
一方、仕切り４０は、前後及び上下に広がる板状の部材で、上下方向に長い。図５及び図７に示すように、仕切り４０は、上側小物ポケット２５に設けられたときに上側となる部分ほど厚いことが好ましい。ただし仕切り４０は全体の厚みが一定でも良い。
【００２４】
仕切り４０の上端部には止め部４２が設けられている。止め部４２は、水平に（すなわち前後及び左右に）広がる板状の部分で、仕切り４０と直交している。仕切り４０及び止め部４２は例えば合成樹脂で出来ている。
【００２５】
仕切り４０の上端部（すなわち止め部４２との接合部）における水平方向の断面形状及び断面積は、孔４５の形状及び面積とほぼ一致している。また、仕切り４０の上端部に固定されている止め部４２は、孔４５よりも広い面積を有している。そのため、仕切り４０が孔４５に上から下に向かって挿入されると、図６及び図７に示すように仕切り４０が孔４５を通過して底板２６より下方へ降り、止め部４２が孔４５を通過できずに孔４５の上で止まる。それにより仕切り４０が底板２６に設けられることとなる。
【００２６】
さらに詳細には、止め部４２は、上から見て、底板２６の凹部４６と形状が一致している。また、止め部４２は、上から見て凹部４６に嵌まり込む大きさである。また、止め部４２の厚みは凹部４６の深さと一致している。そのため、止め部４２が底板２６の上で止まると、図７に示すように止め部４２が底板２６の凹部４６に収まり、止め部４２の上面４３と底板２６の上面２４とが一致する。つまり、止め部４２の上面４３と底板２６の上面２４とが同一平面上にあることとなる。ただし、止め部４２の上面４３と底板２６の上面２４との間に、製造上の誤差等に起因する僅かな段差が存在することは許容される。
【００２７】
図８に示すように、このようにして設けられている仕切り４０の上下方向の長さＨ１は、上側小物ポケット２５と下側小物ポケット３０との上下方向の最短距離Ｈ２より短いことが好ましい。さらに、仕切り４０の上下方向の長さＨ１が上側小物ポケット２５と下側小物ポケット３０との上下方向の最短距離Ｈ２の１／２以下であっても良い。
【００２８】
ここ言う仕切り４０の上下方向の長さとは、上側小物ポケット２５の底板２６の底面から仕切り４０の下端部までの上下方向の長さのことである。また、上側小物ポケット２５と下側小物ポケット３０との上下方向の最短距離とは、上側小物ポケット２５の底板２６の底面から、下側小物ポケット３０の庫内側の壁部３２の上端部までの、上下方向の長さのことである。
【００２９】
なお、上側小物ポケット２５及び下側小物ポケット３０のうち少なくとも一方の上下方向の配置を、使用者が変更できるようになっている場合がある。その場合は、上側小物ポケット２５と下側小物ポケット３０との上下方向の最短距離とは、これらのポケット２５、３０の上下方向の間隔が最接近するように配置された場合の、上側小物ポケット２５の底板２６の底面から、下側小物ポケット３０の庫内側の壁部３２の上端部までの、上下方向の長さのことである。
【００３０】
以上のように上側小物ポケット２５から下方に向かって延びている仕切り４０は、下側小物ポケット３０に収納された収納物を仕切る仕切りとなる。例えば、収納物がマヨネーズのような細首の容器入りのもの（上部の蓋に近づくにつれ細くなっていく容器入りのもの）である場合、図８に示すように仕切り４０の下端部が隣り合う容器の細首部分同士の間に入り、これらの容器を仕切ることとなる。
【００３１】
３．効果
本実施形態では、上側小物ポケット２５の底板２６から下側小物ポケット３０へ向かって延びる仕切り４０が設けられているため、下側小物ポケット３０内において、隣り合う収納物の間に仕切り４０が入ったり、収納物の左右両側に仕切り４０が入ったりすることとなる。そのため下側小物ポケット３０内で収納物が倒れにくい。
【００３２】
ここで、仕切り４０が、下側小物ポケット３０の底板から立ち上がっているのではなく、上側小物ポケット２５から下方へ向かって延びてきている。そのため、下側小物ポケット３０内において仕切り４０が邪魔になりにくく、下側小物ポケット３０内に収納物を自在に配置しやすく、下側小物ポケット３０内に無駄な空間が生じにくい。
【００３３】
また、上側小物ポケット２５の底板２６に孔４５が形成され、仕切り４０の上端部に孔４５より大きい止め部４２が設けられている。そして、仕切り４０が孔４５に上から挿入されて孔４５より下に延び、止め部４２が孔４５の上に止まることによって、仕切り４０が上側小物ポケット２５に設けられている。このような構造のため、使用者は、容易に仕切り４０を着脱することができる。
【００３４】
仕切り４０が容易に着脱可能であるため、使用者は、必要に応じて、全ての孔４５に対して仕切り４０を取り付けることもできるし、選択した一部の孔４５に対してのみ仕切り４０を取り付けることもできる。また、使用者は、仕切り４０が収納の邪魔になる場合は全ての仕切り４０を取り外すこともできる。
【００３５】
ここで、仕切りの位置が固定され変更できない場合は、収納物の大きさが仕切りの間隔に合わないと下側小物ポケット３０内に無駄な空間が生じる。しかし、本実施形態では上側小物ポケット２５の底板２６に複数の孔４５が形成されており、使用者は孔４５毎に仕切り４０を着脱できるので、収納物の大きさに合わせて仕切り４０の数及び間隔を調整できる。そのため下側小物ポケット３０内に無駄な空間が生じにくい。
【００３６】
ここで、全ての孔４５が同じ形状なので、いずれの孔４５に対しても同じ仕切り４０を設けることができる。
【００３７】
また、仕切り４０が、上側小物ポケット２５に設けられたときに上側となる部分（すなわち止め部４２側の部分）ほど厚くなっていれば、使用者が仕切り４０を孔４５に挿入しやすい。
【００３８】
また、上側小物ポケット２５の底板２６に凹部４６が形成されており、仕切り４０が上側小物ポケット２５に設けられた状態では、止め部４２が凹部４６に収まっている。さらに、上側小物ポケット２５の底板２６の上面２４と止め部４２の上面４３とが一致しており同一平面上にある。そのため、上側小物ポケット２５の内部に段差がなく、上側小物ポケット２５内で収納物が倒れにくい。
【００３９】
また、仕切り４０の上下方向の長さＨ１が、上側小物ポケット２５と下側小物ポケット３０との上下方向の最短距離Ｈ２より短かければ、使用者が下側小物ポケット３０の収納物を取り出すときに仕切り４０が邪魔になりにくい。仕切り４０がさらに短く、仕切り４０の上下方向の長さＨ１が上側小物ポケット２５と下側小物ポケット３０との上下方向の最短距離Ｈ２の１／２以下であれば、仕切り４０がさらに邪魔になりにくい。
【００４０】
また、孔４５の前側（庫内側）の端部が、上側小物ポケット２５の前後方向の中間位置より前側にあれば、仕切り４０の前側の端部も前側に来るため、下側小物ポケット３０内の収納物が左右に倒れることだけでなく前に倒れることも仕切り４０で防ぐことができ、収納物が落下することを防ぐことができる。また、孔４５の前後方向の中間位置が、上側小物ポケット２５の前後方向の中間位置よりも前側にあれば、仕切り４０が前側に来るため、下側小物ポケット３０内の収納物が前側に倒れることを仕切り４０で防ぐことができ、収納物が落下することを防ぐことができる。
【００４１】
４．変更例
上記の実施形態の変更例を説明する。上記の実施形態に対して、以下に説明する複数の変更例のうちいずれか１つを適用しても良いし、以下に説明する変更例のうちいずれか２つ以上を組み合わせて適用しても良い。また、以下の変更例の他にも様々な変更が可能である。なお、変更例を示す図では、上記実施形態と同様のものには、上記実施形態と同じ符号が付されている。
【００４２】
（１）変更例１
図９に示すように、上側小物ポケット２５等のポケットの底板の孔１４５は、前後方向に対して斜めに延びていても良い。このような孔１４５に仕切り４０が挿入されると、板状の仕切り板も前後方向に対して斜めになる。そのため、収納物が左右に倒れにくいだけでなく、前方にも倒れにくい。
【００４３】
（２）変更例２
図１０に示すように、止め部４２から下へ向かって延びる仕切り４０に加えて、止め部４２から上へ向かって延びる仕切り１４０が設けられていても良い。この場合、下へ向かって延びる仕切り４０が、下側小物ポケット３０内の収納物を仕切る仕切りとなるとともに、上へ向かって延びる仕切り１４０が、上側小物ポケット２５内の収納物を仕切る仕切りとなる。
【００４４】
止め部４２から上へ向かって延びる仕切り１４０の高さは、図１０に示すように壁部２７、２８、２９より低くても良いが、壁部２７、２８、２９と同じ高さでも良いし、壁部２７、２８、２９より高くても良い。
【００４５】
（３）変更例３
上記実施形態の仕切り４０を上側小物ポケット２５の底板２６に固定する固定部が設けられていても良い。ここで言う固定とは、冷蔵室扉１１の開閉の際等の振動により仕切り４０の位置がずれてしまわない程度に固定することを意味する。
【００４６】
固定部の具体例を図１１に示す。この具体例では、仕切り４０の上部の片面に固定部としての突起１５０が形成されている。この突起１５０は例えば半球状である。突起１５０と止め部４２との間の距離は、上側小物ポケット２５の底板２６の厚みより若干短いことが好ましい。
【００４７】
使用者がこの仕切り４０を上側小物ポケット２５の底板２６の孔４５に上から挿入しようとすると突起１５０が孔４５の上で引っ掛かるが、使用者が仕切り４０を下に押し込むことにより突起１５０が孔４５の位置を乗り越えて孔４５の下に出る。
【００４８】
このようにして仕切り４０が上側小物ポケット２５の底板２６に設けられると、図１１に示すように突起１５０と止め部４２とで底板２６を挟み込んだ状態となる。そのため、通常の使用状況下での振動等では、仕切り４０の位置がずれたり仕切り４０が孔４５から抜けたりしなくなる。
【００４９】
（４）変更例４
固定部の別の具体例を図１２に示す。この具体例では、上側小物ポケット２５の底板２６における孔４５の近傍に、底板２６を貫通する小孔１５２が形成されている。一例としては、図１２に示すように孔４５の左右両側にそれぞれ小孔１５２が形成されている。また、止め部４２の下面には、下方へ突出した小突起１５４が設けられている。小突起１５４は前記小孔１５２と対応する位置に設けられている。そして、仕切り４０が孔４５に挿入されると、小突起１５４が小孔１５２に入り込んで図１２に示す状態になる。
【００５０】
そのため、通常の使用状況下での振動等では、仕切り４０の位置がずれなくなる。このように、この具体例では小突起１５４と小孔１５２とが一体となって固定部となっている。
【００５１】
（５）変更例５
固定部の別の具体例を図１３に示す。この具体例では、仕切り４０の片面に小穴１５６が形成されている。また、上側小物ポケット２５の底板２６の、前記小穴１５６と対向する位置には小突起１５８が形成されている。そして、小突起１５８が小穴１５６に入り込むことによって、仕切り４０が底板２６に固定されている。このように小穴１５６と小突起１５８とが一体となって固定部となっている。
【００５２】
図１３では、仕切り４０の上端部近傍に小穴１５６が形成され、底板２６側の孔４５の開口端に小突起１５８が形成されている。しかし、他の位置に小穴１５６及び小突起１５８が形成されていても良い。
【００５３】
（６）変更例６
仕切りをポケットの底板に設けるための構造として、仕切りをスライドさせることにより底板に取り付けることができるスライド構造が採用されても良い。スライド構造の具体例を図１４及び図１５に示す。
【００５４】
この具体例では、上側小物ポケット２５の底板２６の下面側に、仕切り４０の上部の止め部４２を保持するための保持部１６０が設けられている。この保持部１６０の内側には、止め部４２が収まる収納空間が存在する。そして、その収納空間へ通じる開口部１６２が保持部１６０の前方に開いている。開口部１６２の大きさは前方から見たときの止め部４２よりも若干大きい。そのため、止め部４２は開口部１６２を通過して前記収納空間へ出入りできる。
【００５５】
また、保持部１６０の下部には、開口部１６２から連続して後方へ延びるスライド溝１６４が形成されている。スライド溝１６４は、前記収納空間から保持部１６０の下へ通じている。スライド溝１６４の幅は、仕切り４０の厚みより若干広い。そのため、仕切り４０は、スライド溝１６４の内側を前後方向に移動可能である。
【００５６】
上側小物ポケット２５の底板２６への仕切り４０の取り付けの際は、保持部１６０の前方の開口部１６２から後方へ向かって止め部４２が挿入される。このとき、止め部４２から下方へ延びる仕切り４０は、スライド溝１６４の内側を後方へ向かってスライド移動していく。これにより、図１５に示すように、止め部４２が保持部１６０によって保持され、仕切り４０がスライド溝１６４から下方へ向かって延びた状態で保持される。
【００５７】
（７）変更例７
スライド構造の別の具体例を図１６及び図１７に示す。この具体例では、上側小物ポケット２５の底板２６の上面側に凹部２４６が形成されている。凹部２４６は止め部４２よりも前後方向に長い。また、凹部２４６内には底板２６を貫通する孔２４５が形成されている。孔２４５はスリット状で仕切り４０よりも前後方向に長い。
【００５８】
そして、凹部２４６の後方部分はカバー２４７で上から覆われている。一方、凹部２４６の前方部分はカバー２４７で覆われておらず、上方への開口部２４８により上方へ開放されている。開口部２４８は、止め部４２が上から入る大きさである。
【００５９】
使用者が仕切り４０を上側小物ポケット２５に取り付ける際、まず、使用者は、仕切り４０を開口部２４８の下方の孔２４５に挿入するとともに、止め部４２を開口部２４８から凹部２４６内へ入れる。次に、使用者は、止め部４２を凹部２４６内で後方にスライド移動させ、カバー２４７の下に押し込む。このとき、仕切り４０が孔２４５の内側を後方へスライド移動する。これにより、止め部４２が凹部２４６内におけるカバー２４７の下の場所に収まり、仕切り４０が孔２４５の下に延びることとなる。
【００６０】
（８）変更例８
上記のような仕切りは、扉の庫内側の面に複数のポケットが上下方向に並べて設けられた冷蔵庫において、少なくともいずれか１つのポケットの底板からその下のポケットへ向かって設けられていれば良い。例えば上記のように、冷蔵室扉１１に上側小物ポケット２５、下側小物ポケット３０及び一番下の大物ポケット３５が設けられている場合に、上側小物ポケット２５には仕切りが設けられず、下側小物ポケット３０から大物ポケット３５へ向かって仕切りが設けられていても良い。また、上側小物ポケット２５及び下側小物ポケット３０のそれぞれに、下側のポケットへ向かって延びる仕切りが設けられていても良い。
【符号の説明】
【００６１】
１…冷蔵庫、２…冷蔵室、３…野菜室、５…小冷凍室、６…冷凍室、１１…冷蔵室扉、１２…冷蔵室扉、１３…野菜室扉、１４…製氷室扉、１５…小冷凍室扉、１６…冷凍室扉、１８…操作部、２０…スロート部、２４…上面、２５…上側小物ポケット、２６…底板、２７…壁部、２８…壁部、２９…壁部、３０…下側小物ポケット、３２…壁部、３５…大物ポケット、３７…壁部、４０…仕切り、４２…止め部、４３…上面、４５…孔、４６…凹部、１４０…仕切り、１４５…孔、１５０…突起、１５２…小孔、１５４…小突起、１５６…小穴、１５８…小突起、１６０…保持部、１６２…開口部、１６４…スライド溝、２４５…孔、２４６…凹部、２４７…カバー、２４８…開口部
【図１】
2020169750.tif 000003
【図２】
2020169750.tif 000004
【図３】
2020169750.tif 000005
【図４】
2020169750.tif 000006
【図５】
2020169750.tif 000007
【図６】
2020169750.tif 000008
【図７】
2020169750.tif 000009
【図８】
2020169750.tif 000010
【図９】
2020169750.tif 000011
【図１０】
2020169750.tif 000012
【図１１】
2020169750.tif 000013
【図１２】
2020169750.tif 000014
【図１３】
2020169750.tif 000015
【図１４】
2020169750.tif 000016
【図１５】
2020169750.tif 000017
【図１６】
2020169750.tif 000018
【図１７】
2020169750.tif 000019